(57)【要約】【課題】補助電源駆動時の電力消費量を低減することが可能な画像形成装置および電源制御方法を提供する。【解決手段】本発明に係る画像形成装置は、主電源と、前記主電源からの電力を充電し、充電した電力を供給する補助電源と、前記主電源がオフ時に電力供給元を前記補助電源に切り替える制御と、前記主電源がオン時に電力供給元を前記主電源に切り替える制御とを行う電源制御部と、電力供給元が前記主電源、又は前記補助電源の何れかであるかを検知する検出部と、通常モードと、該通常モードよりも消費電力が抑えられた省エネモードとを切り替える制御を行うモード制御部と、を備え、前記モード制御部は、前記検出部で検知された電力供給元が前記補助電源である場合、通常モードから省エネモードへ移行する移行時間を短い時間に設定する制御を行う。【選択図】図１
2014226816.tif 000002
【特許請求の範囲】
【請求項１】
主電源と、
前記主電源からの電力を充電し、充電した電力を供給する補助電源と、
前記主電源がオフ時に電力供給元を前記補助電源に切り替える制御と、前記主電源がオン時に電力供給元を前記主電源に切り替える制御とを行う電源制御部と、
電力供給元が前記主電源、又は前記補助電源の何れかであるかを検知する検出部と、
通常モードと、該通常モードよりも消費電力が抑えられた省エネモードとを切り替える制御を行うモード制御部と、を備え、
前記モード制御部は、前記検出部で検知された電力供給元が前記補助電源である場合、通常モードから省エネモードへ移行する移行時間を短い時間に設定する制御を行うことを特徴とする画像形成装置。
【請求項２】
画像形成部をメンテナンスするメンテナンス部をさらに備え、
前記メンテナンス部は、前記検出部により検知される電力供給元が前記補助電源の場合にはメンテナンスする動作を中止し、電力供給元が前記補助電源から前記主電源に切り替わった時に、メンテナンスする動作を実行させることを特徴とする請求項１に記載の画像形成装置。
【請求項３】
前記メンテナンス部は、前記補助電源からの電力供給中に省エネモードに移行した時刻から電力供給元が前記主電源に切り替わるまでの間に、省エネモードであった時間の累積時間に基づいてメンテナンスする動作を実行させることを特徴とする請求項２に記載の画像形成装置。
【請求項４】
前記メンテナンス部は、前記累積時間と前記補助電源からの電力供給中に画像形成動作を最後に終了した時刻から電力供給元が前記主電源に切り替わるまでの経過時間とに基づいてメンテナンスする動作を実行させることを特徴とする請求項３に記載の画像形成装置。
【請求項５】
前記メンテナンス部は、前記累積時間と前記補助電源からの電力供給中に画像形成した枚数とに基づいてメンテナンスする動作を実行させることを特徴とする請求項３に記載の画像形成装置。
【請求項６】
主電源と、
前記主電源からの電力を充電し、充電した電力を供給する補助電源と、
を備える画像形成装置において実行される電源制御方法であって、
前記主電源がオフ時に電力供給元を前記補助電源に切り替える制御と、前記主電源がオン時に電力供給元を前記主電源に切り替える制御とを行う電源制御工程と、
電力供給元が前記主電源、又は前記補助電源の何れかであるかを検知する検出工程と、
前記検出工程で検知された電力供給元が前記補助電源である場合、通常モードから該通常モードよりも消費電力が抑えられた省エネモードへ移行する移行時間を短い時間に設定して、前記通常モードと前記省エネモードとを切り替える制御を行うモード制御工程と、
を含むことを特徴とする電源制御方法。
【発明の詳細な説明】
【技術分野】
【０００１】
本発明は、画像形成装置および該画像形成装置において実行される電源制御方法に関する。
【背景技術】
【０００２】
近年、プリンタ機器などの画像形成装置は、装置本体外部の商用電源からＡＣアダプタを介しての電力供給により駆動可能であるだけでなく、装置本体に着脱自在にセットされるバッテリーからの電力供給によっても駆動可能である装置が普及してきている。
【０００３】
一方、画像形成装置は、電力消費量をできるだけ少なくするために、印刷動作が停止しているときは、印刷命令が来るまでの間は電力供給を少ない状態にする省エネモードを有している。画像形成が可能な通常モードで印刷動作が終了してから省エネモードに移行する移行時間は予め設定されているが、この設定された移行時間は、ユーザーが自由に変更できるようになっている。
【０００４】
また、一般的にインクジェットプリンタでは、ノズルの乾燥によるインクの吐出不良を防止するために、記録ヘッドを駆動しない印刷待機中の時間が予め設定された時間以上になると、ノズルのメンテナンス動作を自動で実施するようになっている。
【０００５】
特許文献１には、省エネルギモード時と通常モード時とを切り換えることができ、この切り換えられたモード（運転状態）に応じて二次電池を用いて電源供給を行う技術が開示されている。
【０００６】
また、特許文献２には、バッテリーを長持ちさせる目的で、商用電源から電力供給されるときのヘッドメンテナンス条件とバッテリー駆動するときのヘッドメンテナンス条件とを異ならせる技術が開示されている。
【発明の概要】
【発明が解決しようとする課題】
【０００７】
しかしながら、特許文献１に記載のバッテリー駆動が可能な画像形成装置では、省エネモードへの移行時間が商用電源駆動時及びバッテリー駆動時で同じ時間に設定される。このため、バッテリー駆動時の電力消費量を低減するためには、予め設定された省エネモードへの移行時間をユーザーが手動で短い時間に再設定しなければならないという問題がある。
【０００８】
また、特許文献２に記載のインクジェットプリンタでは、バッテリー駆動時でもノズルのメンテナンス動作は商用電源駆動時と同じ頻度で実施している。そのため、バッテリー駆動時の電力消費量を低減することができないという問題がある。
【０００９】
本発明は、上記に鑑みてなされたものであって、補助電源駆動時の電力消費量を低減することが可能な画像形成装置および電源制御方法を提供することを目的とする。
【課題を解決するための手段】
【００１０】
上述した課題を解決し、目的を達成するために、本発明に係る画像形成装置は、主電源と、前記主電源からの電力を充電し、充電した電力を供給する補助電源と、前記主電源がオフ時に電力供給元を前記補助電源に切り替える制御と、前記主電源がオン時に電力供給元を前記主電源に切り替える制御とを行う電源制御部と、電力供給元が前記主電源、又は前記補助電源の何れかであるかを検知する検出部と、通常モードと、該通常モードよりも消費電力が抑えられた省エネモードとを切り替える制御を行うモード制御部と、を備え、前記モード制御部は、前記検出部で検知された電力供給元が前記補助電源である場合、通常モードから省エネモードへ移行する移行時間を短い時間に設定する制御を行うことを特徴とする。
【発明の効果】
【００１１】
本発明によれば、補助電源駆動時の電力消費量を低減することができる、という有利な効果を奏する。
【図面の簡単な説明】
【００１２】
【図１】図１は、第１の実施形態に係る画像形成装置の外観の一例を示す斜視図である。
【図２】図２は、第１の実施形態に係る画像形成装置の機構部の全体構成を示す側面図である。
【図３】図３は、第１の実施形態に係る画像形成装置の機構部の構成を示す平面図である。
【図４】図４は、第１の実施形態に係る画像形成装置の全体構成例を説明するブロック図である。
【図５】図５は、第１の実施形態に係る画像形成装置の電源部の構成例を説明するブロック図である。
【図６】図６は、第１の実施形態に係る画像形成装置の電源制御部である電源制御回路の構成例を説明するブロック図である。
【図７−１】図７−１は、第１の実施形態に係る電源制御回路における電源のタイミングチャートを説明する図である。
【図７−２】図７−２は、第１の実施形態に係る電源制御回路における電源のタイミングチャートを説明する図である。
【図７−３】図７−３は、第１の実施形態に係る電源制御回路における電源のタイミングチャートを説明する図である。
【図７−４】図７−４は、第１の実施形態に係る電源制御回路における電源のタイミングチャートを説明する図である。
【図８】図８は、第１の実施形態に係る画像形成装置の各種モードの例を説明する模式図である。
【図９】図９は、第１の実施形態に係るモード制御部の制御動作の処理手順の一例を示すフローチャートである。
【図１０】図１０は、第２の実施形態に係るメンテナンス部のノズルのメンテナンス条件とメンテナンス種類の一例を説明する図である。
【図１１】図１１は、第２の実施形態に係る画像形成装置において実行されるメンテナンス部の制御動作例について説明するフローチャートである。
【図１２】図１２は、第３の実施形態に係る画像形成装置において実行されるメンテナンス部の制御動作例について説明するフローチャートである。
【図１３】図１３は、第４の実施形態に係る画像形成装置において実行されるメンテナンス部の制御動作例について説明するフローチャートである。
【発明を実施するための形態】
【００１３】
以下、添付図面を参照しながら、本発明に係る画像形成装置および電源制御方法の実施の形態を詳細に説明する。なお、以下の各実施形態では、画像形成装置の一例として、インクジェット記録装置を例に挙げて説明するが、これに限定されるものではなく、画像形成装置であればいずれにも適用することができる。さらに、本発明は、インクジェット記録装置に限らず、記録媒体上にインク滴を吐出させて画像形成する画像形成装置に対して広く適用可能である。
【００１４】
本実施形態に係る画像形成装置であるインクジェット記録装置は、ＫＣＭＹの４色のインクを吐出する記録ヘッドを有し、これらの記録ヘッドを記録用紙の搬送方向と直交する方向に往復動作させて画像記録を行う。
【００１５】
（第１の実施形態）
図１は、本実施形態に係る画像形成装置の外観の一例を示す斜視図である。
【００１６】
図１に示すように、画像形成装置１００は、装置本体に、給紙トレイ１と、排紙トレイ２と、主電源３と、補助電源４と、補助電源装填部５と、操作表示部６とを主な構成として含む。
【００１７】
給紙トレイ１は、画像形成装置１００に装着した記録媒体である用紙を装填するために備えられている。画像が記録（形成）された用紙は、排紙トレイ２にてストックされる。
【００１８】
主電源３は、商用電源（ＡＣ電源）からの電力を画像形成装置１００に供給する。主電源３は、商用電源から供給される交流電圧を直流電圧に変換して画像形成装置１００に供給する。
【００１９】
補助電源（以下、「バッテリー」ともいう。）４は、装置本体の前面の一端部側に備えられた補助電源装填部５のカバーを開閉することで、ユーザーが着脱可能な構成である。補助電源４は、商用電源からの電力供給が無い場合に画像形成装置１００に電力を供給する。画像形成装置１００は、補助電源４を有することにより、使用環境に商用電源が無い場合や停電時などでは、補助電源４駆動することで画像形成が可能となる。また、補助電源４は、画像形成だけでなく携帯電話などの情報機器端末の充電にも使用可能な構成である。
【００２０】
操作表示部６は、装置本体の前面の上面側に備えられ、操作キーや表示画面などが配置されている。表示画面にはタッチパネルが備えられ、操作キーやタッチパネルから各種の入力を行うことができる。
【００２１】
次に、画像形成装置１００の機構部の構成について説明する。図２は、本実施形態に係る画像形成装置の機構部の全体構成を示す側面図である。図３は、画像形成装置の機構部の構成を示す平面図である。
【００２２】
図２、３に示すように、画像形成装置１００は、ガイドロッド７と、ガイドレール８と、キャリッジ９と、主走査モータ１０と、タイミングベルト１１と、駆動プーリ１２Ａと、従動プーリ１２Ｂとを備える。キャリッジ９は、左右の側板（図示せず）に横架したガイド部材であるガイドロッド７とガイドレール８とで主走査方向に摺動自在に保持される。キャリッジ９は、主走査モータ１０で駆動プーリ１２Ａと従動プーリ１２Ｂとの間に張架したタイミングベルト１１を介して図３に示す矢印Ａ１及び矢印Ａ２の方向（主走査方向）に移動走査する。
【００２３】
キャリッジ９は、例えば、それぞれブラック（Ｋ）、シアン（Ｃ）、マゼンタ（Ｍ）、イエロー（Ｙ）のインク滴を吐出する液体吐出ヘッドを有する４個の記録ヘッド１３ｋ、１３ｃ、１３ｍ、１３ｙ（以下、色を区別しない場合は「記録ヘッド１３」という。）を備える。記録ヘッド１３は、複数のインク吐出口を主走査方向と交叉する方向に配列し、インク滴吐出方向を下方に向けて装着している。
【００２４】
記録ヘッド１３を構成する液体吐出ヘッドは、液滴を吐出するための圧力を発生する圧力発生手段を備えたものが使用できる。圧力発生手段は、例えば、圧電素子などの圧電アクチュエータ、発熱抵抗体などのサーマルアクチュエータ、温度変化による金属相変化を用いる形状記憶合金アクチュエータ、静電力を用いる静電アクチュエータなどである。
【００２５】
また、色毎に独立したヘッド構成に限るものではなく、複数の色の液滴を吐出する複数のノズルで構成されるノズル列を有する１又は複数の液体吐出ヘッドを有する構成でもよい。また、キャリッジ９には、記録ヘッド１３に各色のインクを供給するための各色のサブタンク１４を搭載している。このサブタンク１４には、インク供給チューブ１５を介して図示しないメインタンク（インクカートリッジ）からインクが補充供給される。
【００２６】
一方、画像形成装置１００は、給紙トレイ（給紙カセット）１などの用紙積載部（圧板）１６上に積載した用紙１７を給紙するための給紙部として、半月コロ（給紙ローラ）１８及び分離パッド１９を備える。給紙ローラ１８は、用紙積載部１６から用紙１７を１枚ずつ分離給送する。分離パッド１９は、給紙ローラ１８に対向する位置に設けられ、給紙ローラ１８側に付勢されている。分離パッド１９は、摩擦係数の大きな材質により形成される。
【００２７】
そして、画像形成装置１００は、給紙部から給紙された用紙１７を記録ヘッド１３の下方側で搬送するための搬送部として、搬送ベルト２１と、カウンタローラ２２と、搬送ガイド２３と、押さえ部材２４と、押さえコロ２５と、帯電ローラ２６とを備える。搬送ベルト２１は、用紙１７を静電吸着して搬送する。カウンタローラ２２は、給紙部からガイド２０を介して送られる用紙１７を搬送ベルト２１との間で挟んで搬送する。搬送ガイド２３は、略鉛直上方に送られる用紙１７を略９０°方向転換させて搬送ベルト２１上に倣わせる。押さえ部材２４は、押さえコロ２５を搬送ベルト２１側に付勢し、押さえコロ２５で用紙１７を押さえる。帯電ローラ２６は、搬送ベルト２１表面を帯電させる。
【００２８】
ここで、搬送ベルト２１は、無端状ベルトであり、搬送ローラ２７とテンションローラ２８との間に掛け渡される。搬送ベルト２１は、副走査モータ３１からタイミングベルト３２及びタイミングローラ３３を介して搬送ローラ２７が回転されることで、図３のベルト搬送方向（副走査方向）に搬送ベルト２１が周回するように構成している。なお、搬送ベルト２１の裏面側には記録ヘッド１３による画像形成領域に対応してガイド部材２９を配置している。
【００２９】
このガイド部材２９は、上面が搬送ベルト２１を支持する２つのローラ（搬送ローラ２７とテンションローラ２８）の接線よりも記録ヘッド１３側に突出している。これにより、搬送ベルト２１は、画像形成領域ではガイド部材２９の上面にて押し上げられてガイドされるので、高精度な平面性を維持される。
【００３０】
さらに、ガイド部材２９の搬送ベルト２１の裏面と接触する面側には、主走査方向、すなわち搬送方向と直交する方向に複数の溝を形成して、搬送ベルト２１との接触面積を少なくし、搬送ベルト２１がスムーズにガイド部材２９表面に沿って移動できるようにしている。
【００３１】
また、帯電ローラ２６は、搬送ベルト２１の表層に接触し、搬送ベルト２１の回動に従動して回転するように配置されている。なお、搬送ベルト２１には、加圧力として軸の両端に各２．５Ｎをかけている。
【００３２】
また、図３に示すように、ロータリエンコーダ３６は、スリット円板３４及びセンサ３５を備える。スリット円板３４は、搬送ローラ２７の軸に取り付けられ、このスリット円板３４のスリットを検知するセンサ３５を設けている。
【００３３】
さらに、画像形成装置１００は、記録ヘッド１３で記録された用紙１７を排紙するための排紙部として、分離爪５１と、排紙ローラ５２と、排紙コロ５３と、排紙トレイ２とを備える。分離爪５１は、搬送ベルト２１から用紙１７を分離する。排紙ローラ５２及び排紙コロ５３は、用紙１７を間に挟んで排紙する。排紙トレイ２は、排紙ローラ５２の下方に排紙される用紙１７をストックする。ここで、排紙ローラ５２と排紙コロ５３との間から排紙トレイ２までの高さは排紙トレイ２にストックできる量を多くするためにある程度高くしている。
【００３４】
また、画像形成装置１００は、背部に両面給紙ユニット５４が着脱自在に装着されている。両面給紙ユニット５４は、搬送ベルト２１の逆方向回転で戻される用紙１７を取り込んで反転させて再度カウンタローラ２２と搬送ベルト２１との間に給紙する。また、両面給紙ユニット５４の上面には手差し給紙部（図２では図示せず）を設けている。
【００３５】
さらに、図３に示すように、キャリッジ９の走査方向の一方側の非印字領域には、記録ヘッド１３のノズルの状態を維持し、回復するためのメンテナンス手段として維持回復機構５５を配置している。
【００３６】
維持回復機構５５は、各キャップ５６と、ワイパーブレード５７と、空吐出受け５８とを備える。各キャップ５６は、記録ヘッド１３の各ノズル面をキャッピングする。ワイパーブレード５７は、ノズル面をワイピングするためのブレード部材である。空吐出受け５８は、増粘した記録液を排出するために記録に寄与しない液滴を吐出させる空吐出を行うときの液滴を受ける。
【００３７】
このように構成した画像形成装置１００においては、用紙１７は、給紙トレイ１から１枚ずつ分離給紙され、略鉛直上方に給紙された用紙１７はガイド２０で案内される。次に、用紙１７は、搬送ベルト２１とカウンタローラ２２との間に挟まれて搬送される。更に、用紙１７は、先端を搬送ガイド２３で案内されて押さえコロ２５で搬送ベルト２１に押し付けられ、略９０°搬送方向を転換される。
【００３８】
このとき、エンジン制御部３３４（図３では図示せず）は、ＡＣバイアス供給部から帯電ローラ２６に対して正負が交互に繰り返す交番電圧を印加して、搬送ベルト２１を交番する帯電電圧パターンで帯電させる。すなわち、周回方向である副走査方向に、プラスとマイナスが交互に所定の幅で繰り返されるパターンで帯電させる。用紙１７は、この帯電した搬送ベルト２１上に給送されると、搬送ベルト２１に静電力で吸着され、搬送ベルト２１の周回移動によって用紙１７が副走査方向に搬送される。
【００３９】
そこで、画像形成装置１００は、キャリッジ９を往路及び復路方向に移動させながら画像信号に応じて記録ヘッド１３を駆動することにより、停止している用紙１７にインク滴を吐出して１行分を記録し、用紙１７を所定量搬送後、次の行の記録を行う。画像形成装置１００は、記録終了信号又は用紙１７の後端が記録領域に到達した信号を受けることにより、記録動作を終了して、用紙１７を排紙トレイ２に排紙する。
【００４０】
また、画像形成装置１００は、両面印刷の場合には、表面（最初に印刷する面）の記録が終了したときに、搬送ベルト２１を逆回転させることで、記録済みの用紙１７を両面給紙ユニット５４内に送り込み、用紙１７を反転させる。次に、画像形成装置１００は、用紙１７の裏面が印刷面となる状態にして再度カウンタローラ２２と搬送ベルト２１との間に給紙し、タイミング制御を行って、表面の記録と同様に搬送ベルト２１上に搬送して裏面に記録を行った後、排紙トレイ２に排紙する。
【００４１】
また、画像形成装置１００のメンテナンス部３３３は、印字（記録）待機中にはキャリッジ９を維持回復機構５５側に移動して、キャップ５６で記録ヘッド１３のノズル面をキャッピングして、ノズルを湿潤状態に保つことによりインク乾燥による吐出不良を防止する。また、メンテナンス部３３３は、メンテナンス動作として、例えば、キャップ５６で記録ヘッド１３をキャッピングした状態でノズルから記録液を吸引し、増粘した記録液や気泡を排出する回復動作を行う。メンテナンス部３３３は、この回復動作によって記録ヘッド１３のノズル面に付着したインクを清掃除去するためにワイパーブレード５７でワイピングを行う。また、メンテナンス部３３３は、記録開始前、記録途中などに記録と関係しないインクを吐出する空吐出動作を行う。これによって、メンテナンス部３３３は、記録ヘッド１３の安定した吐出性能を維持する。
【００４２】
次に、画像形成装置の全体構成例について説明する。図４は、本実施形態に係る画像形成装置の全体構成例を説明するブロック図である。図５は、電源部の構成例を説明するブロック図である。図６は、電源制御部である電源制御回路の構成例を説明するブロック図である。
【００４３】
図４に示すように、画像形成装置１００は、電源部２００と、メインコントローラ３００と、操作表示部６と、画像形成部３１０とを備える。
【００４４】
図５に示すように、電源部２００は、主電源３と、補助電源４と、充放電コントローラ２０１と、電源制御部２０２と、ＤＣ／ＤＣコンバータ２０３、２０４とを含む。また、主電源３は、電源制御部２０２を含んでいる。主電源３は、商用電源（ＡＣ電源）からの電力を供給する。主電源３は、商用電源が供給されるコンセントに差し込み可能なプラグ２０５を有する。そして、プラグ２０５がコンセントに差し込まれることによって、主電源３と商用電源とが接続され、主電源３は商用電源からの電力供給を受ける。主電源３は、商用電源から供給される電力を電源制御部２０２に供給する。そして交流電圧を直流電圧に変換した後、ＤＣ／ＤＣコンバータ２０３、２０４を介してメインコントローラ３００や画像形成部３１０で使用可能な直流電圧に変換する。本実施形態においては、ＤＣ５ＶとＤＣ３７Ｖとが少なくともメインコントローラ３００に供給される。
【００４５】
補助電源４は、例えば、充放電可能な電池である。主電源３から供給された電力は、充放電コントローラ２０１を介して補助電源４に供給され、補助電源４が充電される。また、補助電源４は、商用電源からの電力供給が無い場合、充放電コントローラ２０１を介して電力を電源制御部２０２に供給する。そして、ＤＣ／ＤＣコンバータ２０３、２０４を介してメインコントローラ３００や画像形成部３１０で使用可能な直流電圧に変換する。本実施形態においては、ＤＣ５ＶとＤＣ３７Ｖとが少なくともメインコントローラ３００に供給される。
【００４６】
充放電コントローラ２０１は、メインコントローラ３００の制御の下、補助電源４の充放電を制御する。また、充放電コントローラ２０１は、補助電源４の充電量（残容量）を検出する。例えば、充放電コントローラ２０１は、補助電源４における電流積算値と、補助電源４の温度や充電回数から求められる容量の劣化率とに基づいて、補助電源４の充電量を検出することができる。なお、これに限らず、補助電源４の充電量を検出する方法は任意である。
【００４７】
また、充放電コントローラ２０１は、メインコントローラ３００の制御の下、補助電源４に対する主電源３からの電力の供給および停止を切り替える。メインコントローラ３００は、主電源３からの電力で補助電源４を充電する場合、主電源３からの電力が充放電コントローラ２０１を介して補助電源４に供給されるように、充放電コントローラ２０１を制御する。
【００４８】
電源制御部２０２は、検出部２０６を含む。電源制御部２０２は、メインコントローラ３００の制御の下、少なくともメインコントローラ３００に対する電力供給元を切り替える。例えば、電源制御部２０２は、電力供給元を、主電源３に切り替えることもできるし、補助電源４に切り替えることもできる。本実施形態において電源制御部２０２は、商用電源から電力供給されている場合には電力供給元を主電源３に切り替え、商用電源から電力供給されていない場合には電力供給元を補助電源４に切り替える制御を行う。すなわち、電源制御部２０２は、主電源３がオフ時に電力供給元を補助電源４に切り替える制御と、主電源３がオン時に電力供給元を主電源３に切り替える制御とを行う。
【００４９】
また、電源制御部２０２は、メインコントローラ３００の制御の下、電力供給先を切り替えることもできる。例えば、電源制御部２０２は、電力供給先を、メインコントローラ３００および画像形成部３１０の両方に切り替えることもできるし、メインコントローラ３００のみに切り替えることもできる。
【００５０】
次に、電源制御部２０２の電源切り替え制御について説明する。図６に示すように、電源制御部２０２の電源制御回路では、プラグ２０５が商用電源に接続されたプラグイン（＋Ｖ＿ＡＣ）の状態になった場合、検出部２０６において、ＡＣＩＮが検知され、ＡＣＯＫがＬｏｗレベルとなり、ＢＴＯＮがＨｉレベルとなる。この時、電源制御回路では、ＦＥＴ１がＯＮとなるため＋Ｖ＿ＢＡＴ＿ＡＣには＋Ｖ＿ＡＣの電力が供給される。これにより、充放電コントローラ２０１は、補助電源４に電力を供給して充電することができる。そして、電源制御部２０２は、＋Ｖ＿ＣＨから少なくともメインコントローラ３００に電力を供給する。
【００５１】
また、電源制御回路では、補助電源４が接続された状態で、プラグ２０５が商用電源に未接続となった場合、ＦＥＴ２がＯＮとなるため＋Ｖ＿ＢＡＴ１から電力が供給される。この場合、検出部２０６において、ＢＴＯＮがＬｏｗレベルとなる。そして、補助電源４からの電力が＋Ｖ＿ＣＨから少なくともメインコントローラ３００に供給される。このように、電源制御部２０２は、電力供給元を主電源３又は補助電源４に切り替える制御を行う。
【００５２】
次に、電源制御回路における電源のタイミングチャートについて説明する。図７−１〜図７−４は、本実施形態に係る電源制御回路における電源のタイミングチャートを説明する図である。
【００５３】
図７−１は、バッテリー４からのみ電力を供給する場合の電源のタイミングチャートである。図７−１に示すように、電源制御回路では、バッテリー４を装着（バッテリーイン）すると＋Ｖ＿ＢＡＴ１は、ＬｏｗレベルからＨｉレベルに遷移し、ＢＴＯＮは、Ｌｏｗレベルを維持する。この時、検出部２０６は、ＢＴＯＮがＬｏｗレベルであると検知する。また、ＨＶＣＯＮＴは、ＨｉレベルからＬｏｗレベルに遷移し、＋３７Ｖは、ＬｏｗレベルからＨｉレベルに遷移することで電源オン（ＯＮ）となる。なお、ＨＶＣＯＮＴは、３７ＶのＤＣ／ＤＣコンバータ２０４のイネーブル信号であり、メインコントローラ３００から受信する信号である。
【００５４】
図７−２は、主電源（商用電源）からのみ電力を供給する場合の電源のタイミングチャートである。図７−２に示すように、電源制御回路では、プラグ２０５を商用電源に接続（プラグイン）すると＋Ｖ＿ＡＣは、ＬｏｗレベルからＨｉレベルに遷移し、ＡＣＩＮは、ＬｏｗレベルからＨｉレベルに遷移し、ＡＣＯＫは、ＨｉレベルからＬｏｗレベルに遷移する。この時、検出部２０６は、ＡＣＩＮがＨｉレベル、ＡＣＯＫがＬｏｗレベル、ＢＴＯＮがＨｉレベル（図示せず）であると検知する。また、ＨＶＣＯＮＴは、ＨｉレベルからＬｏｗレベルに遷移し、＋３７Ｖは、ＬｏｗレベルからＨｉレベルに遷移することで電源オン（ＯＮ）となる。
【００５５】
図７−３は、バッテリーから主電源（商用電源）に電力供給を切り替えた場合の電源のタイミングチャートである。図７−３に示すように、電源制御回路では、バッテリー４から電力供給している場合、＋Ｖ＿ＢＡＴ１は、Ｈｉレベルであり、ＢＴＯＮは、Ｌｏｗレベルを維持している。次に、バッテリー４から主電源３に電力供給を切り替えた場合、ＢＴＯＮは、ＬｏｗレベルからＨｉレベルに遷移し、＋Ｖ＿ＡＣは、ＬｏｗレベルからＨｉレベルに遷移する。また、ＡＣＩＮは、ＬｏｗレベルからＨｉレベルに遷移し、ＡＣＯＫは、ＨｉレベルからＬｏｗレベルに遷移する。この時、検出部２０６は、ＢＴＯＮがＨｉレベル、ＡＣＩＮがＨｉレベル、ＡＣＯＫがＬｏｗレベルであると検知する。
【００５６】
図７−４は、主電源（商用電源）からバッテリーに電力供給を切り替えた場合の電源のタイミングチャートである。図７−４に示すように、電源制御回路では、主電源３から電力供給している場合、＋Ｖ＿ＡＣは、Ｈｉレベルを維持し、ＢＴＯＮは、Ｈｉレベルを維持する。次に、主電源３からバッテリー４に電力供給を切り替えた場合、＋Ｖ＿ＡＣは、ＨｉレベルからＬｏｗレベルに遷移し、ＢＴＯＮは、ＨｉレベルからＬｏｗレベルに遷移する。この時、検出部２０６は、ＢＴＯＮがＬｏｗレベルであると検知する。
【００５７】
このように、主電源３の電源制御回路において、検出部２０６が検知したＢＴＯＮがＬｏｗレベルであれば電力供給元はバッテリー４であり、ＢＴＯＮがＨｉレベルであれば電力供給元は主電源３であると判定できる。また、検出部２０６が検知したＡＣＯＫがＬｏｗレベルであれば電力供給元は主電源３であり、ＡＣＯＫがＨｉレベルであれば電力供給元はバッテリー４であると判定できる。従って、検出部２０６は、ＢＴＯＮ、又はＡＣＯＫがＨｉレベルまたはＬｏｗレベルの何れかであるかを検知することにより、電力供給元が主電源３（商用電源）であるのか、バッテリー４であるのかを判定することができる。
【００５８】
次に、メインコントローラ３００について説明する。図４に示すように、メインコントローラ３００は、画像形成装置１００全体の動作を統括的に制御する。メインコントローラ３００は、タイマー３０１と、記憶部３０２と、ホストＩ／Ｆ３０３と、制御部３０４とを含む。
【００５９】
タイマー３０１は、時刻を計測する。タイマー３０１は、例えば、現在時刻をカウントするリアルタイムクロック機能を有する構成であってもよい。記憶部３０２は、各種のデータを記憶する。ホストＩ／Ｆ３０３は、外部装置、例えば、ホストＰＣ側からの画像データ等をケーブル或いはネットを介して受信する。
【００６０】
制御部３０４は、画像形成装置１００の各部を制御する。制御部３０４は、例えば、マイクロプロセッサなどから構成されるＣＰＵ（Central  Processing  Unit）、ＲＯＭ（Read  Only  Memory）、ＲＡＭ(Random  Access  Memory)などを含んで構成される。図４に示すように、制御部３０４が有する機能は、受付部３３１と、モード制御部３３２と、メンテナンス部３３３と、エンジン制御部３３４とを含む。制御部３０４が有する機能は、制御部３０４のＣＰＵがＲＯＭ等に格納された所定の制御プログラムを実行することにより実現される。なお、これに限らず、これらの機能の少なくとも一部を個別の回路（ハードウェア）で実現することもできる。
【００６１】
受付部３３１は、操作表示部６や外部装置４００などからの各種入力を受け付ける。各種入力には、印刷ジョブや後述の省エネモードなどの各種設定入力などが含まれる。なお、印刷ジョブは、当該印刷ジョブに含まれる印刷データの印刷を要求する命令信号であり、印刷ジョブに含まれる印刷データの数（印刷枚数）は任意に設定され得る。印刷データは、例えばＰＤＬ（Page  Description  Language）などの言語で記述される。印刷ジョブは、画像形成部３１０による画像形成を要求する画像形成要求と捉えることもできる。
【００６２】
モード制御部３３２は、画像形成装置１００の異なる動作状態を示す各種モードへの移行および解除を制御する。モード制御部３３２の詳細については後述する。
【００６３】
メンテナンス部３３３は、画像形成部３１０のメンテナンスを制御する。メンテナンス部３３３の詳細については後述する。
【００６４】
エンジン制御部３３４は、画像形成部３１０の動作を制御する。具体的には、エンジン制御部３３４は、受付部３３１で印刷ジョブを受け付けた場合、その受け付けた印刷ジョブに含まれる印刷データの画像処理を実行する。例えば、エンジン制御部３３４は、ＰＤＬなどの言語で記述された印刷データを、画像形成部３１０が印刷可能な形式（例えばビットマップ形式）で描画された画像データに変換する。そして、エンジン制御部３３４は、その変換した画像データに基づいて、画像を記録紙などの媒体上に形成する（印刷を実行する）ように、画像形成部３１０を制御する。すなわち、画像形成部３１０は、エンジン制御部３３４の制御の下、印刷ジョブに含まれる印刷データに基づく印刷を実行する。
【００６５】
操作表示部６は、表示画面と操作キーとを備える。表示画面は、タッチパネルを備える。表示画面は、各種画面や画像形成装置１００に関する情報を表示するとともに、タッチパネルからユーザーが各種の操作入力を行うことができる。操作キーは、ユーザーからの各種の入力を受け付ける操作デバイスである。
【００６６】
画像形成部３１０は、記録ヘッド１３を含む。画像形成部３１０は、メインコントローラ３００の制御の下、記録紙などの媒体上に画像を形成する。例えば、画像形成部３１０には、それぞれ液状記録剤として黒（Ｋ）、シアン（Ｃ）、マゼンタ（Ｍ）、イエロー（Ｙ）の４色のインク滴を吐出する液体吐出ヘッドを有する４個の記録ヘッド１３が少なくとも搭載されており、記録ヘッド１３から記録媒体上に液滴を吐出させて画像形成を行う。本実施形態における画像形成装置１００の機構部の構成及び画像形成部３１０の機構部の構成については、図２、３を用いて前述したとおりであり、ここでは、その詳細な説明を省略する。
【００６７】
次に、モード制御部３３２について説明する。図８は、本実施形態に係る画像形成装置の各種モードの例を説明する模式図である。図８に示すように、モード制御部３３２は、それぞれが画像形成装置１００の異なる動作状態を示す複数のモードへの移行および解除を制御する。図８に示すように、本実施形態では、例えば、画像形成装置１００のモードとして、通常モードＳｔ０３０と、待機モードＳｔ０３１と、省エネモードＳｔ０３２と、電源ＯＦＦＳｔ０３３とを有する。
【００６８】
通常モードＳｔ０３０は、画像形成部３１０による印刷（画像形成）動作が行われる場合における画像形成装置１００の動作状態を示す。通常モードＳｔ０３０では、印刷動作に必要な電力が供給され、メインコントローラ３００および画像形成部３１０の各々が動作するので、消費電力量が大きい。
【００６９】
待機モードＳｔ０３１は、画像形成部３１０による印刷が行われない場合における画像形成装置１００の動作状態を示す。待機モードＳｔ０３１では、印刷動作に必要な電力は供給されているが画像形成部３１０は動作していないため、通常モードＳｔ０３０よりも消費電力量は小さい。
【００７０】
省エネモードＳｔ０３２は、画像形成部３１０による印刷が行われない場合における画像形成装置１００の動作状態を示す。省エネモードＳｔ０３２では、画像形成部３１０は動作せずに、メインコントローラ３００のみが動作するので、メインコントローラ３００のみに対して電力供給が行われる。具体的には、例えば、省エネモードＳｔ０３２は、ＵＳＢやＬＡＮからのデータ受信や操作表示部６の操作（例えば、キー押下）を検知するために必要最小限の電力を供給している状態であるため、待機モードよりもさらに電力消費量は小さい。
【００７１】
次に、モード制御部３３２の制御による各種モード間の移行の一例について説明する。図８において、モード制御部３３２の制御では、最初に電源ＯＦＦＳｔ０３３からＳＷ押下することで電源ＯＮとなり（ステップＳ１０１）、待機モードＳｔ０３１に移行する。モード制御部３３２は、待機モードＳｔ０３１で印刷命令が来た場合又はコピーなどで表示パネルのＳＷ押下した場合、通常モードＳｔ０３０へ移行（ステップＳ１０２）させ、画像形成装置１００は印刷動作を行う。モード制御部３３２は、印刷動作が終了した後、印刷命令がなく予め定めた所定時間経過した場合、待機モードＳｔ０３１に移行させる（ステップＳ１０３）。
【００７２】
また、モード制御部３３２は、待機モードＳｔ０３１で予め定めた所定時間経過した場合、省エネモードＳｔ０３２へ移行させる（ステップＳ１０４）。モード制御部３３２は、省エネモードＳｔ０３２で印刷命令が来た場合又はコピーなどで表示パネルのＳＷ押下した場合、一度、待機モードＳｔ０３１に移行（ステップＳ１０６）させた後に通常モードＳｔ０３０へ移行（ステップＳ１０２）させ、画像形成装置１００は印刷動作を行う。また、モード制御部３３２は、省エネモードＳｔ０３２で印刷命令が来た場合、省エネモードＳｔ０３２から直接通常モードＳｔ０３０へ移行（ステップＳ１０５）させてから画像形成装置１００は印刷動作を行うようにさせてもよい。省エネモードＳｔ０３２から直接通常モードＳｔ０３０へ移行することにより印刷時間を短縮することができる。
【００７３】
なお、省エネモードＳｔ０３２から通常モードＳｔ０３０への移行動作の選択は、例えば、電力消費量などに基づいてユーザーが設定を変更できるようになっている。また、モード制御部３３２は、待機モードＳｔ０３１でＳＷ押下することで電源ＯＦＦとなる（ステップＳ１０７）。以上のように、モード制御部３３２は、各種モード間の移行を制御する。
【００７４】
本実施形態のモード制御部３３２は、待機モードが予め設定された所定時間を超えると自動的に省エネモードＳｔ０３２に移行させる制御を行う。すなわち、モード制御部３３２は、印刷動作に必要なモータ駆動やヘッド駆動をするための電力供給を切断する。なお、省エネモードＳｔ０３２に移行させる予め設定された所定時間を省エネモードＳｔ０３２移行時間という。
【００７５】
また、モード制御部３３２は、検出部２０６により検知された電力供給元が補助電源４である場合には、主電源３時の省エネモードＳｔ０３２移行時間を予め設定された所定時間よりも短い移行時間に自動的に再設定する制御を行う。モード制御部３３２は、検出部２０６により検知された電力供給元が主電源３に切り替わった場合には、自動的に省エネモードＳｔ０３２移行時間を主電源３時の予め設定された所定時間に再設定する制御を行う。
【００７６】
また、モード制御部３３２は、省エネモードＳｔ０３２に移行した時刻をタイマーを参照して取得し、その時刻をメンテナンス部３３３のモード監視部３４２に通知する。また、モード制御部３３２は、通常モードＳｔ０３０に移行した時刻をタイマーを参照して取得し、その時刻をメンテナンス部３３３のモード監視部３４２に通知する。
【００７７】
次に、モード制御部３３２の制御動作例を説明する。図９は、本実施形態のモード制御部３３２の制御動作の処理手順の一例を示すフローチャートである。図９に示すように、モード制御部３３２は、画像形成装置１００に対して主電源３（商用電源）からの電力供給が開始されると、省エネモードＳｔ０３２への移行時間Ｔは、主電源３からの電力供給時の設定時間Ｔ０に自動的に設定する（ステップＳ２０１）。
【００７８】
次に、モード制御部３３２は、画像形成装置１００の電力供給元が主電源３又は補助電源４の何れであるかを判定するために、検出部２０６が検知するＢＴＯＮ信号を検出する（ステップＳ２０２）。次に、モード制御部３３２は、ＢＴＯＮ信号がＬｏｗレベルであるか否かを判定する（ステップＳ２０３）。モード制御部３３２は、ＢＴＯＮ信号がＬｏｗレベルでない場合（ステップＳ２０３：ＮＯ）、電力供給元は主電源３であると判定し、Ｔ＝Ｔ０の設定を維持して処理を終了する。モード制御部３３２は、ＢＴＯＮ信号がＬｏｗレベルである場合（ステップＳ２０３：ＹＥＳ）、電力供給元は補助電源４であると判定し、省エネモードＳｔ０３２への移行時間ＴをＴ＜Ｔ０となるように移行時間Ｔを自動的に短い時間に設定（ステップＳ２０４）して処理を終了する。
【００７９】
以上の処理を画像形成装置１００に実行させることにより、ユーザーが手動で移行時間Ｔを再設定することなく電源供給元によって駆動時の動作を制御する電源制御を行うので消費電力量を低減することが可能となる。
【００８０】
このように、本実施形態のモード制御部３３２は、検出部２０６で検知された電力供給元が補助電源４である場合には、省エネモードＳｔ０３２移行時間Ｔを予め設定された主電源３駆動時の移行時間Ｔ０よりも短い移行時間Ｔとする設定を自動的に行う。そのため、ユーザーが手動によって移行時間Ｔ０を短い移行時間Ｔに再設定する必要がない。
【００８１】
また、モード制御部３３２は、検出部２０６で検知された電力供給元が補助電源４である場合には、自動的に省エネモードＳｔ０３２への移行時間Ｔ０を短い移行時間Ｔに設定する。これにより、モード制御部３３２は、電力供給元が補助電源４である場合には、短い時間で電力消費量が最も少ない省エネモードへ移行させるので、補助電源４駆動時の電力消費量を低減することができるため、補助電源４の持続時間を長持ちさせることができる。
【００８２】
以上より、本実施形態によれば、補助電源４駆動時の電力消費量を低減することができる。
【００８３】
（第２の実施形態）
次に、第２の実施形態について説明する。本実施形態では、制御部３０４は、画像形成部３１０をメンテナンスするメンテナンス部３３３をさらに備える。メンテナンス部３３３は、画像形成部３１０のメンテナンス動作の制御を行う。メンテナンス部３３３は、メンテナンス動作によって記録ヘッド１３のノズルの状態を維持し、回復させる制御を行う。
【００８４】
具体的には、メンテナンス部３３３は、検出部２０６により検知される電力供給元が補助電源４の場合にはメンテナンスする動作を中止し、電力供給元が補助電源４から主電源３に切り替わった時に、メンテナンスする動作を実行させる制御を行う。以下、具体的な内容について説明する。なお、上述した第１の実施形態と重複する部分については詳細な説明を適宜省略する。
【００８５】
図４に示すように、メンテナンス部３３３は、メンテナンス制御部３４１と、モード監視部３４２と、動作監視部３４３とを含む。
【００８６】
メンテナンス制御部３４１は、画像形成部３１０のメンテナンス動作を統括的に制御する。例えば、インクジェット記録装置では、ノズルの乾燥からくる目詰まりを防止するために、記録ヘッド１３を駆動しない（インクを噴射させない）時間が予め設定した所定時間以上になると、ノズルのメンテナンス動作を自動で実行させる制御を行う。
【００８７】
具体的には、図３に示すように、メンテナンス制御部３４１は、例えば、キャップ５６で記録ヘッド１３をキャッピングした状態でノズルから記録液を吸引し、増粘した記録液や気泡を排出する回復動作を行う。メンテナンス制御部３４１は、この回復動作によって記録ヘッド１３のノズル面に付着したインクを清掃除去するためにワイパーブレード５７でノズル面のワイピングを行う。また、メンテナンス制御部３４１は、例えば、記録開始前、記録途中などに記録と関係しないインクを印字領域外で吐出する空吐出動作を行う。また、メンテナンス制御部３４１は、例えば、ヘッドへのインク充填（インクを循環させる）動作を行う。これによって、メンテナンス制御部３４１は、記録ヘッド１３の安定した吐出性能を維持する。メンテナンス制御部３４１は、これらのメンテナンス動作のタイミングを制御する。
【００８８】
また、メンテナンス制御部３４１は、検出部２０６で検知された電力供給元が補助電源４である場合には、上述したノズルのメンテナンス動作を中止する制御を行い、電力供給元が補助電源４から主電源３に切り替わった時にメンテナンス動作を実行させる制御を行う。これにより、メンテナンス制御部３４１は、補助電源４駆動時にはメンテナンス動作を行わないので、メンテナンス動作に消費する電力を削減することができるため、補助電源４駆動時の電力消費量を低減することができる。
【００８９】
モード監視部３４２は、画像形成装置１００の動作モード状態及びその動作モード状態である経過時間を監視する。例えば、モード監視部３４２は、補助電源４駆動時の間に画像形成装置１００の動作モード状態が省エネモードＳｔ０３２に移行した時刻から通常モードＳｔ０３０に移行した時刻を監視する。そして、省エネモードＳｔ０３２状態であった時間Ｔ１〜Ｔｎを各々記憶してメンテナンス制御部３４１に受け渡す。
【００９０】
動作監視部３４３は、画像形成装置１００の印刷（画像形成）枚数Ｙ、及び印刷が終了した時刻から電力供給元が切り替わる時刻までの時間を監視する。動作監視部３４３は、例えば、画像形成装置１００が、補助電源４駆動時の間に印刷した枚数Ｙを監視して記憶する。また、動作監視部３４３は、例えば、画像形成装置１００が、補助電源４駆動時で印刷が終了した時刻から電力供給元が切り替わる時刻までの時間Ｔａを監視して記憶する。より具体的には、動作監視部３４３は、検出部２０６で検知する電力供給元が補助電源４である時間中に印刷した枚数（Ｔ１〜Ｙｎ）を各々記憶し、合計の印刷枚数Ｙを計算して記憶して合計印刷枚数Ｙをメンテナンス制御部３４１に受け渡す。また、動作監視部３４３は、検出部２０６で検知する電力供給元が補助電源４である時間中に印刷が最後に終了した時刻から電力供給元が主電源３に切り替わる時刻までの経過時間Ｔａを計測して記憶する。
【００９１】
次に、本実施形態のメンテナンス部３３３がメンテナンス動作を実行させる時のメンテナンス条件とメンテナンス種類の一例について説明する。図１０は、本実施形態のメンテナンス部のノズルのメンテナンス条件とメンテナンス種類の一例を説明する図である。図１０に示す、メンテナンス条件は、メンテナンス部３３３がメンテナンス動作を実行させる時の判断条件である。また、メンテナンス種類は、メンテナンス動作の種類とそれらの組み合わせである。メンテナンス部３３３は、メンテナンス条件に基づいてメンテナンス種類を選択してメンテナンス動作を実行させる。
【００９２】
メンテナンス種類は、例えば、以下の（１）〜（３）のメンテナンス動作を任意に組み合わせることにより設定できる。
（１）記録ヘッド１３へのインク充填（インクを循環させる）動作
（２）インクを印字領域外で吐出する空吐出動作
（３）ノズルから記録液を吸引し、増粘した記録液や気泡を排出する回復動作を行い、この回復動作によって記録ヘッド１３のノズル面に付着したインクを清掃除去するためにワイパーブレード５７でノズル面のワイピングを行う動作
なお、メンテナンス動作はこれらに限定されることはなく、任意のメンテナンス動作を適用することができる。
【００９３】
メンテナンス条件は、例えば、後述するモード監視部３４２により記憶した補助電源４駆動時に省エネモードＳｔ０３２状態であった時間の累積時間Ｔｋと任意の時間Ｔｋ０とが満たすべき条件が一例として挙げられる。なお、メンテナンス条件はこれに限定されることはなく、任意のメンテナンス条件を適用することができる。
【００９４】
次に、メンテナンス部３３３がメンテナンス動作を実行させる時のメンテナンス条件とメンテナンス種類を、上述のメンテナンス条件（累積時間Ｔｋと任意の時間Ｔｋ０とが満たすべき条件）とメンテナンス種類（１）〜（３）の組み合わせとを例にして説明する。なお、図１０に示す、Ｔｋ０は、予め設定した任意の時間である。この任意の時間Ｔｋ０は、通常は記録ヘッド１３を駆動しない時間がＴｋ０以上になるとノズルのメンテナンス動作を自動で実行させる条件である。
【００９５】
本実施形態において、メンテナンス部３３３は、メンテナンス動作を実行させる場合、メンテナンス条件の一例として累積時間Ｔｋと任意の時間Ｔｋ０とが満たすべき条件を用い、累積時間Ｔｋと予め設定した時間Ｔｋ０との比較を行う。メンテナンス部３３３は、その比較結果に基づいて、図１０に示すメンテナンス種類の一例としてＡ〜Ｄを選択して実行させる。具体的には、例えば、メンテナンス部３３３は、Ｔｋ＜（１／１０）×Ｔｋ０であった場合は、累積時間Ｔｋは予め設定した時間Ｔｋ０よりも極めて短いため、例えば、メンテナンスＡ（メンテナンス動作なし）を選択して実行させる。また、メンテナンス部３３３は、（１／１０）×Ｔｋ０＜Ｔｋ＜Ｔｋ０であった場合は、例えば、通常のメンテナンス動作であるメンテナンスＢ（（１）＋（２）＋（３）のセットを各１回）を選択して実行させる。また、メンテナンス部３３３は、Ｔｋ０＜Ｔｋ＜２×Ｔｋ０であった場合は、累積時間Ｔｋが長いため、例えば、メンテナンスＣ（（１）＋（２）＋（３）のセットを各２回）を選択して実行させる。また、メンテナンス部３３３は、２×Ｔｋ０＜Ｔｋであった場合は、さらに累積時間Ｔｋが長いため、例えば、メンテナンスＤ（（１）＋（２）＋（３）のセットを各３回）を選択して実行させる。なお、メンテナンス部３３３が実行させるメンテナンス種類Ａ〜Ｄは上記の組み合わせに限定されることはなく、記録ヘッド１３の状態に応じて各種のメンテナンス動作を任意に組み合わせて行うことができる。
【００９６】
次に、画像形成装置１００において実行されるメンテナンス部３３３の制御動作例について説明する。図１１は、本実施形態の画像形成装置において実行されるメンテナンス部の制御動作例である。図１１は、メンテナンス部が累積時間Ｔｋに基づいてメンテナンス動作を実行する場合の処理手順の一例を示すフローチャートである。
【００９７】
図１１に示すように、メンテナンス部３３３のメンテナンス制御部３４１は、画像形成装置１００の電力供給元が主電源３又は補助電源４の何れであるのかを判定するために、検出部２０６が検知するＢＴＯＮ信号がＬｏｗレベルであるか否かを判定する（ステップＳ３０１）。メンテナンス制御部３４１は、ＢＴＯＮ信号がＬｏｗレベルでない場合（ステップＳ３０１：ＮＯ）、電力供給元が主電源３であると判定して処理を終了する。メンテナンス制御部３４１は、ＢＴＯＮ信号がＬｏｗレベルである場合（ステップＳ３０１：ＹＥＳ）、メンテナンス制御部３４１は、電力供給元が補助電源４であると判定してメンテナンス動作を中止する（ステップＳ３０２）。
【００９８】
次に、モード監視部３４２は、モード制御部３３２による制御が省エネモードＳｔ０３２であるか否かを判定する（ステップＳ３０３）。モード監視部３４２は、省エネモードＳｔ０３２でない場合（ステップＳ３０３：ＮＯ）、省エネモードＳｔ０３２であるかの判定処理を繰り返す。モード監視部３４２は、省エネモードＳｔ０３２である場合（ステップＳ３０３：ＹＥＳ）、画像形成装置１００の動作モード状態が省エネモードＳｔ０３２状態に移行した時刻をモード制御部３３２から取得して省エネモードＳｔ０３２状態の経過時間（Ｔ１〜Ｔｎ）の計測を開始する（ステップＳ３０４）。
【００９９】
次に、モード監視部３４２は、モード制御部３３２による制御が通常モードＳｔ０３０であるか否かを判定する（ステップＳ３０５）。モード監視部３４２は、通常モードＳｔ０３０でない場合（ステップＳ３０５：ＮＯ）、通常モードＳｔ０３０であるか否かの判定処理を繰り返す。モード監視部３４２は、通常モードＳｔ０３０である場合（ステップＳ３０５：ＹＥＳ）、画像形成装置１００の動作モード状態が通常モードＳｔ０３０状態に移行した時刻をモード制御部３３２から取得して省エネモードＳｔ０３２状態の経過時間（Ｔ１〜Ｔｎ）の計測を終了し（ステップＳ３０６）、省エネモードＳｔ０３２状態であった経過時間（Ｔ１〜Ｔｎ）を記憶する（ステップＳ３０７）。
【０１００】
次に、モード監視部３４２は、モード制御部３３２による制御が省エネモードＳｔ０３２であるか否かを判定する（ステップＳ３０８）。モード監視部３４２は、省エネモードＳｔ０３２である場合（ステップＳ３０８：ＹＥＳ）、ステップＳ３０４へ戻って省エネモードＳｔ０３２状態であった経過時間（Ｔ１〜Ｔｎ）の計測処理を繰り返す。メンテナンス制御部３４１は、省エネモードＳｔ０３２でない場合（ステップＳ３０８：ＮＯ）、画像形成装置１００の電力供給元が主電源３又は補助電源４の何れであるかを判定するために、検出部２０６が検知したＢＴＯＮ信号がＨｉレベルであるか否かを判定する（ステップＳ３０９）。メンテナンス制御部３４１は、ＢＴＯＮ信号がＨｉレベルでない場合（ステップＳ３０９：ＮＯ）、電力供給元が補助電源４であると判定してステップＳ３０８へ戻って省エネモードＳｔ０３２の判定処理を繰り返す。メンテナンス制御部３４１は、ＢＴＯＮ信号がＨｉレベルである場合（ステップＳ３０９：ＹＥＳ）、電力供給元が主電源３に切り替わったと判定し、省エネモードＳｔ０３２状態であった経過時間（Ｔ１〜Ｔｎ）の累積時間Ｔｋを計算（Ｔｋ＝Ｔ１＋Ｔ２＋・・・＋Ｔｎ）して記憶する（ステップＳ３１０）。
【０１０１】
次に、メンテナンス制御部３４１は、累積時間ＴｋがＴｋ＜（１／１０）×Ｔｋ０であるか否かを判定する（ステップＳ３１１）。メンテナンス制御部３４１は、Ｔｋ＜（１／１０）×Ｔｋ０である場合（ステップＳ３１１：ＹＥＳ）、メンテナンスＡを実行（ステップＳ３１２）して処理を終了する。
【０１０２】
メンテナンス制御部３４１は、Ｔｋ＜（１／１０）×Ｔｋ０でない場合（ステップＳ３１１：ＮＯ）、累積時間Ｔｋが（１／１０）×Ｔｋ０＜Ｔｋ＜Ｔｋ０であるか否かを判定する（ステップＳ３１３）。メンテナンス制御部３４１は、（１／１０）×Ｔｋ０＜Ｔｋ＜Ｔｋ０である場合（ステップＳ３１３：ＹＥＳ）、メンテナンスＢを実行（ステップＳ３１４）して処理を終了する。
【０１０３】
メンテナンス制御部３４１は、（１／１０）×Ｔｋ０＜Ｔｋ＜Ｔｋ０でない場合（ステップＳ３１３：ＮＯ）、累積時間ＴｋがＴｋ０＜Ｔｋ＜２Ｔｋ０であるか否かを判定する（ステップＳ３１５）。メンテナンス制御部３４１は、Ｔｋ０＜Ｔｋ＜２Ｔｋ０である場合（ステップＳ３１５：ＹＥＳ）、メンテナンスＣを実行（ステップＳ３１６）して処理を終了する。
【０１０４】
メンテナンス制御部３４１は、Ｔｋ０＜Ｔｋ＜２Ｔｋ０でない場合（ステップＳ３１５：ＮＯ）、累積時間Ｔｋが２Ｔｋ０＜Ｔｋであるか否かを判定する（ステップＳ３１７）。メンテナンス制御部３４１は、２Ｔｋ０＜Ｔｋである場合（ステップＳ３１７：ＹＥＳ）、メンテナンスＤを実行（ステップＳ３１８）して処理を終了する。メンテナンス制御部３４１は、２Ｔｋ０＜Ｔｋでない場合（ステップＳ３１７：ＮＯ）、処理を終了する。
【０１０５】
以上の処理を画像形成装置１００に実行させることにより、補助電源４駆動時の電力消費量を低減すると共にノズルのメンテナンス効果を維持することが可能となる。
【０１０６】
このように、本実施形態のメンテナンス部３３３は、補助電源４からの電力供給中はメンテナンス動作を中止する制御を行ない、メンテナンス条件（電力供給元が主電源３（商用電源）に切り替わった時に、省エネモードＳｔ０３２状態であった時間の累積時間Ｔｋ）に基づいて各種のメンテナンス動作を実行する制御を行う。これにより、メンテナンス部３３３は、補助電源４駆動時にはメンテナンス動作を行わないので、メンテナンス動作に消費する電力を削減することができるため、補助電源４駆動時の電力消費量を低減することができる。
【０１０７】
また、メンテナンス部３３３は、メンテナンス条件（補助電源４から主電源３に切り替わった時に、省エネモードＳｔ０３２状態であった時間の累積時間Ｔｋ）に基づいて、効果的なメンテナンス種類を選択して実行させるので、ノズルのメンテナンス効果を維持することができる。
【０１０８】
以上より、本実施形態によれば、補助電源４駆動時の電力消費量を低減することができると共に、ノズルのメンテナンス効果を維持することができる。
【０１０９】
（第３の実施形態）
次に、第３の実施形態について説明する。本実施形態では、メンテナンス部３３３は、メンテナンス動作を実行させる場合、補助電源４からの電力供給中に省エネモードＳｔ０３２に移行した時刻から電力供給元が主電源３に切り替わる時刻までの間に、省エネモードＳｔ０３２であった時間の累積時間Ｔｋと、補助電源４からの電力供給中に画像形成動作を最後に終了した時刻から電力供給元が主電源３に切り替わる時刻までの経過時間Ｔａとに基づいてメンテナンスする動作を実行させる制御を行う。以下、具体的な内容について説明する。なお、上述した第１、第２の実施形態と重複する部分については詳細な説明を適宜省略する。
【０１１０】
図１２は、本実施形態の画像形成装置において実行されるメンテナンス部の制御動作例である。図１２は、メンテナンス部が累積時間Ｔｋと画像形成動作を最後に終了した時刻から電力供給元が主電源に切り替わる時刻までの経過時間とに基づいてメンテナンス動作を実行する場合の処理手順の一例を示すフローチャートである。
【０１１１】
図１２に示すように、メンテナンス部３３３のメンテナンス制御部３４１は、画像形成装置１００の電力供給元が主電源３又は補助電源４の何れであるかを判定するために、検出部２０６が検知するＢＴＯＮ信号がＬｏｗレベルであるか否かを判定する（ステップＳ４０１）。メンテナンス制御部３４１は、ＢＴＯＮ信号がＬｏｗレベルでない場合（ステップＳ４０１：ＮＯ）、電力供給元が主電源３であると判定して処理を終了する。メンテナンス制御部３４１は、ＢＴＯＮ信号がＬｏｗレベルである場合（ステップＳ４０１：ＹＥＳ）、電力供給元が補助電源４であると判定してメンテナンス動作を中止する（ステップＳ４０２）。
【０１１２】
次に、モード監視部３４２は、モード制御部３３２による制御が省エネモードＳｔ０３２であるか否かを判定する（ステップＳ４０３）。動作監視部３４３は、省エネモードＳｔ０３２でない場合（ステップＳ４０３：ＮＯ）、印刷中であるか否かを判定する（ステップＳ５０１）。動作監視部３４３は、印刷中でない場合（ステップＳ５０１：ＮＯ）、ステップＳ４０３に戻って省エネモードＳｔ０３２の判定処理を繰り返す。動作監視部３４３は、印刷中である場合（ステップＳ５０１：ＹＥＳ）、印刷が終了したか否かを判定する（ステップＳ５０２）。動作監視部３４３は、印刷が終了していない場合（ステップＳ５０２：ＮＯ）、印刷が終了したか否かの判定を繰り返す。動作監視部３４３は、印刷が終了した場合（ステップＳ５０２：ＹＥＳ）、印刷終了時刻を取得して終了時刻からの経過時間Ｔａの計測を開始する（ステップＳ５０３）。
【０１１３】
次に、動作監視部３４３は、印刷中であるか否かを判定する（ステップＳ５０４）。印刷中である場合（ステップＳ５０４：ＹＥＳ）、経過時間Ｔａの計測を中止（ステップＳ５０５）して、経過時間Ｔａをリセットする（ステップＳ５０６）。そして、ステップＳ５０２に戻って印刷が終了したか否かの判定処理を繰り返す。メンテナンス制御部３４１は、ステップＳ５０４で印刷中でない場合（ステップＳ５０４：ＮＯ）、画像形成装置１００の電力供給元が主電源３又は補助電源４の何れであるかを判定するために、検出部２０６が検知するＢＴＯＮ信号がＨｉレベルであるか否かを判定する（ステップＳ５０７）。メンテナンス制御部３４１は、ＢＴＯＮ信号がＨｉレベルでない場合（ステップＳ５０７：ＮＯ）、電力供給元が主電源３でないと判定して、ＢＴＯＮ信号がＨｉレベルであるか否かの判定処理を繰り返す。メンテナンス制御部３４１は、ＢＴＯＮ信号がＨｉレベルである場合（ステップＳ５０７：ＹＥＳ）、電力供給元が主電源３であると判定して、動作監視部３４３は、経過時間Ｔａの計測を終了（ステップＳ５０８）し、経過時間Ｔａを記憶して（ステップＳ５０９）処理を終了する。
【０１１４】
ステップＳ４０３に戻って、モード監視部３４２は、モード制御部３３２による制御が省エネモードＳｔ０３２である場合（ステップＳ４０３：ＹＥＳ）、画像形成装置１００の動作モード状態が省エネモードＳｔ０３２状態に移行した時刻をモード制御部３３２から取得して省エネモードＳｔ０３２状態の経過時間（Ｔ１〜Ｔｎ）の計測を開始する（ステップＳ４０４）。
【０１１５】
次に、モード監視部３４２は、モード制御部３３２による制御が通常モードＳｔ０３０であるか否かを判定する（ステップＳ４０５）。モード監視部３４２は、通常モードＳｔ０３０でない場合（ステップＳ４０５：ＮＯ）、通常モードＳｔ０３０であるか否かの判定処理を繰り返す。モード監視部３４２は、通常モードＳｔ０３０である場合（ステップＳ４０５：ＹＥＳ）、画像形成装置１００の動作モード状態が通常モードＳｔ０３０状態に移行した時刻をモード制御部３３２から取得して省エネモードＳｔ０３２状態の経過時間（Ｔ１〜Ｔｎ）の計測を終了し（ステップＳ４０６）、省エネモードＳｔ０３２状態であった経過時間（Ｔ１〜Ｔｎ）を記憶する（ステップＳ４０７）。
【０１１６】
次に、モード監視部３４２は、モード制御部３３２による制御が省エネモードＳｔ０３２であるか否かを判定する（ステップＳ４０８）。モード監視部３４２は、省エネモードＳｔ０３２である場合（ステップＳ４０８：ＹＥＳ）、ステップＳ４０４へ戻って省エネモードＳｔ０３２状態であった経過時間（Ｔ１〜Ｔｎ）の計測処理を繰り返す。メンテナンス制御部３４１は、省エネモードＳｔ０３２でない場合（ステップＳ４０８：ＮＯ）、画像形成装置１００の電力供給元が主電源３又は補助電源４の何れであるかを判定するために、検出部２０６が検知するＢＴＯＮ信号がＨｉレベルであるか否かを判定する（ステップＳ４０９）。メンテナンス制御部３４１は、ＢＴＯＮ信号がＨｉレベルでない場合（ステップＳ４０９：ＮＯ）、電力供給元が補助電源４であると判定してステップＳ４０８へ戻って省エネモードＳｔ０３２であるか否かの判定処理を繰り返す。メンテナンス制御部３４１は、ＢＴＯＮ信号がＨｉレベルである場合（ステップＳ４０９：ＹＥＳ）、省エネモードＳｔ０３２状態であった経過時間（Ｔ１〜Ｔｎ）の累積時間Ｔｋを計算（Ｔｋ＝Ｔ１＋Ｔ２＋・・・＋Ｔｎ）して記憶する（ステップＳ４１０）。
【０１１７】
次に、メンテナンス制御部３４１は、累積時間ＴｋがＴｋ＜（１／１０）×Ｔｋ０であるか否かを判定する（ステップＳ４１１）。メンテナンス制御部３４１は、Ｔｋ＜（１／１０）×Ｔｋ０である場合（ステップＳ４１１：ＹＥＳ）、ステップＳ５０９で記憶した経過時間Ｔａと予め設定された時間Ｘとを比較してＴａ≦Ｘであるか否かを判定する（ステップＳ４１２）。なお、予め設定された時間Ｘは任意の時間であり、変更が可能である。メンテナンス制御部３４１は、Ｔａ≦Ｘである場合（ステップＳ４１２：ＹＥＳ）、メンテナンスＡを実行（ステップＳ４１３）して処理を終了する。メンテナンス制御部３４１は、Ｔａ≦Ｘでない場合（ステップＳ４１２：ＮＯ）、メンテナンスＢを実行（ステップＳ４１６）して処理を終了する。
【０１１８】
メンテナンス制御部３４１は、Ｔｋ＜（１／１０）×Ｔｋ０でない場合（ステップＳ４１１：ＮＯ）、累積時間Ｔｋが（１／１０）×Ｔｋ０＜Ｔｋ＜Ｔｋ０であるか否かを判定する（ステップＳ４１４）。メンテナンス制御部３４１は、（１／１０）×Ｔｋ０＜Ｔｋ＜Ｔｋ０である場合（ステップＳ４１４：ＹＥＳ）、ステップＳ５０９で記憶した経過時間Ｔａと予め設定された時間Ｘとを比較してＴａ≦Ｘであるか否かを判定する（ステップＳ４１５）。なお、予め設定された時間Ｘは任意の時間であり、変更が可能である。メンテナンス制御部３４１は、Ｔａ≦Ｘである場合（ステップＳ４１５：ＹＥＳ）、メンテナンスＢを実行（ステップＳ４１６）して処理を終了する。メンテナンス制御部３４１は、Ｔａ≦Ｘでない場合（ステップＳ４１５：ＮＯ）、メンテナンスＢをｎ回繰り返して実行（ステップＳ４１７）して処理を終了する。なお、繰り返す回数ｎは任意に設定することができる。
【０１１９】
メンテナンス制御部３４１は、（１／１０）×Ｔｋ０＜Ｔｋ＜Ｔｋ０でない場合（ステップＳ４１４：ＮＯ）、累積時間ＴｋがＴｋ０＜Ｔｋ＜２Ｔｋ０であるか否かを判定する（ステップＳ４１８）。メンテナンス制御部３４１は、Ｔｋ０＜Ｔｋ＜２Ｔｋ０である場合（ステップＳ４１８：ＹＥＳ）、ステップＳ５０９で記憶した経過時間Ｔａと予め設定された時間Ｘとを比較してＴａ≦Ｘであるか否かを判定する（ステップＳ４１９）。なお、予め設定された時間Ｘは任意の時間であり、変更が可能である。メンテナンス制御部３４１は、Ｔａ≦Ｘである場合（ステップＳ４１９：ＹＥＳ）、メンテナンスＣを実行（ステップＳ４２０）して処理を終了する。メンテナンス制御部３４１は、Ｔａ≦Ｘでない場合（ステップＳ４１９：ＮＯ）、メンテナンスＣをｎ回繰り返して実行（ステップＳ４２１）して処理を終了する。なお、繰り返す回数ｎは任意に設定することができる。
【０１２０】
メンテナンス制御部３４１は、Ｔｋ０＜Ｔｋ＜２Ｔｋ０でない場合（ステップＳ４１８：ＮＯ）、累積時間Ｔｋが２Ｔｋ０＜Ｔｋであるか否かを判定する（ステップＳ４２２）。メンテナンス制御部３４１は、２Ｔｋ０＜Ｔｋである場合（ステップＳ４２２：ＹＥＳ）、ステップＳ５０９で記憶した経過時間Ｔａと予め設定された時間Ｘとを比較してＴａ≦Ｘであるか否かを判定する（ステップＳ４２３）。なお、予め設定された時間Ｘは任意の時間であり、変更が可能である。メンテナンス制御部３４１は、Ｔａ≦Ｘである場合（ステップＳ４２３：ＹＥＳ）、メンテナンスＤを実行（ステップＳ４２４）して処理を終了する。メンテナンス制御部３４１は、Ｔａ≦Ｘでない場合（ステップＳ４２３：ＮＯ）、メンテナンスＤをｎ回繰り返して実行（ステップＳ４２５）して処理を終了する。なお、繰り返す回数ｎは任意に設定することができる。２Ｔｋ０＜Ｔｋでない場合（ステップＳ４２２：ＮＯ）、処理を終了する。
【０１２１】
以上の処理を画像形成装置１００に実行させることにより、補助電源４駆動時の電力消費量を低減すると共にノズルのメンテナンス効果をより効果的に発揮させることが可能となる。
【０１２２】
このように、本実施形態のメンテナンス部３３３は、補助電源４からの電力供給中はメンテナンス動作を中止する制御を行ない、メンテナンス条件（電力供給元が主電源３（商用電源）に切り替わった時に、省エネモードＳｔ０３２状態であった時間の累積時間Ｔｋと画像形成動作を最後に終了した時刻から電力供給元が主電源３に切り替わる時刻までの経過時間Ｔａと）に基づいてメンテナンス動作を実行する制御を行う。これにより、メンテナンス部３３３は、補助電源４駆動時にはメンテナンス動作を行わないので、メンテナンス動作に消費する電力を削減することができるため、補助電源４駆動時の電力消費量を低減することができる。
【０１２３】
また、メンテナンス部３３３は、メンテナンス条件（補助電源４から主電源３に切り替わった時に、省エネモードＳｔ０３２状態であった時間の累積時間Ｔｋと画像形成動作を最後に終了した時刻から電力供給元が主電源３に切り替わる時刻までの経過時間Ｔａと）に基づいて、効果的なメンテナンス種類を選択して実行させるので、ノズルのメンテナンス効果をより向上させることができる。
【０１２４】
すなわち、第２の実施形態と同じ省エネモードＳｔ０３２状態であった時間の累積時間Ｔｋであっても、最後に印刷動作が終了してから電力供給元が主電源３に切り替わるまでの経過時間Ｔａが長いほうがメンテナンス直近の放置時間が長い。そのため、メンテナンス動作をｎ回繰り返すことによりノズルのメンテナンスを最も効果的に行うことができる。
【０１２５】
以上より、本実施形態によれば、補助電源４駆動時の電力消費量を低減することができると共に、ノズルのメンテナンス効果をより効果的に発揮させることができる。
【０１２６】
（第４の実施形態）
次に、第４の実施形態について説明する。本実施形態では、メンテナンス部３３３は、メンテナンス動作を実行させる場合、補助電源４からの電力供給中に省エネモードＳｔ０３２に移行した時刻から電力供給元が主電源３に切り替わる時刻までの間に、省エネモードＳｔ０３２であった時間の累積時間Ｔｋと、補助電源４からの電力供給中に画像形成した枚数Ｙとに基づいてメンテナンスする動作を実行させる制御を行う。以下、具体的な内容について説明する。なお、上述した第１〜第３の実施形態と重複する部分については詳細な説明を適宜省略する。
【０１２７】
図１３は、本実施形態の画像形成装置において実行されるメンテナンス部の制御動作例である。図１３は、メンテナンス部が累積時間Ｔｋと補助電源からの電力供給中に画像形成した枚数とに基づいてメンテナンス動作を実行する場合の処理手順の一例を示すフローチャートである。
【０１２８】
図１３に示すように、メンテナンス部３３３のメンテナンス制御部３４１は、画像形成装置１００の電力供給元が主電源３又は補助電源４の何れであるかを判定するために、検出部２０６が検知するＢＴＯＮ信号がＬｏｗレベルであるか否かを判定する（ステップＳ６０１）。メンテナンス制御部３４１は、ＢＴＯＮ信号がＬｏｗレベルでない場合（ステップＳ６０１：ＮＯ）、電力供給元が主電源３であると判定して処理を終了する。メンテナンス制御部３４１は、ＢＴＯＮ信号がＬｏｗレベルである場合（ステップＳ６０１：ＹＥＳ）、電力供給元が補助電源４であると判定してメンテナンス制御部３４１は、メンテナンス動作を中止する（ステップＳ６０２）。
【０１２９】
次に、モード監視部３４２は、モード制御部３３２による制御が省エネモードＳｔ０３２であるか否かを判定する（ステップＳ６０３）。動作監視部３４３は、省エネモードＳｔ０３２でない場合（ステップＳ６０３：ＮＯ）、印刷中であるか否かを判定する（ステップＳ７０１）。動作監視部３４３は、印刷中でない場合（ステップＳ７０１：ＮＯ）、ステップＳ６０３に戻って省エネモードＳｔ０３２の判定処理を繰り返す。動作監視部３４３は、印刷中である場合（ステップＳ７０１：ＹＥＳ）、印刷が終了したか否かを判定する（ステップＳ７０２）。動作監視部３４３は、印刷が終了していない場合（ステップＳ７０２：ＮＯ）、印刷が終了したか否かの判定を繰り返す。動作監視部３４３は、印刷が終了した場合（ステップＳ７０２：ＹＥＳ）、印刷した枚数（Ｙ１〜Ｙｎ）を取得して記憶する（ステップＳ７０３）。
【０１３０】
次に、動作監視部３４３は、印刷中であるか否かを判定する（ステップＳ７０４）。動作監視部３４３は、印刷中である場合（ステップＳ７０４：ＹＥＳ）、ステップＳ７０２に戻って印刷が終了したか否かの判定処理を繰り返す。メンテナンス制御部３４１は、印刷中でない場合（ステップＳ７０４：ＮＯ）、画像形成装置１００の電力供給元が主電源３又は補助電源４の何れであるかを判定するために、検出部２０６が検知するＢＴＯＮ信号がＨｉレベルであるか否かを判定する（ステップＳ７０５）。メンテナンス制御部３４１は、ＢＴＯＮ信号がＨｉレベルでない場合（ステップＳ７０５：ＮＯ）、電力供給元が主電源３でないと判定してステップＳ７０１に戻って印刷中か否かの判定処理を繰り返す。メンテナンス制御部３４１は、ＢＴＯＮ信号がＨｉレベルである場合（ステップＳ７０５：ＹＥＳ）、電力供給元が主電源３であると判定して、動作監視部３４３は、ステップＳ７０３で記憶した印刷した枚数（Ｙ１〜Ｙｎ）の合計を計算（Ｙ＝Ｙ１＋Ｙ２＋・・・＋Ｙｎ）して（ステップＳ７０６）、印刷合計枚数Ｙを記憶して（ステップＳ７０７）処理を終了する。
【０１３１】
ステップＳ６０３に戻って、モード監視部３４２は、モード制御部３３２による制御が省エネモードＳｔ０３２である場合（ステップＳ６０３：ＹＥＳ）、画像形成装置１００の動作モード状態が省エネモードＳｔ０３２状態に移行した時刻をモード制御部３３２から取得して省エネモードＳｔ０３２状態の経過時間（Ｔ１〜Ｔｎ）の計測を開始する（ステップＳ６０４）。
【０１３２】
次に、モード監視部３４２は、モード制御部３３２による制御が通常モードＳｔ０３０であるか否かを判定する（ステップＳ６０５）。モード監視部３４２は、通常モードＳｔ０３０でない場合（ステップＳ６０５：ＮＯ）、通常モードＳｔ０３０であるか否かの判定処理を繰り返す。モード監視部３４２は、通常モードＳｔ０３０である場合（ステップＳ６０５：ＹＥＳ）、画像形成装置１００の動作モード状態が通常モードＳｔ０３０状態に移行した時刻をモード制御部３３２から取得して省エネモードＳｔ０３２状態の経過時間（Ｔ１〜Ｔｎ）の計測を終了し（ステップＳ６０６）、省エネモードＳｔ０３２状態であった経過時間（Ｔ１〜Ｔｎ）を記憶する（ステップＳ６０７）。
【０１３３】
次に、モード監視部３４２は、モード制御部３３２による制御が省エネモードＳｔ０３２であるか否かを判定する（ステップＳ６０８）。モード監視部３４２は、省エネモードＳｔ０３２である場合（ステップＳ６０８：ＹＥＳ）、ステップＳ６０４へ戻って省エネモードＳｔ０３２状態であった経過時間（Ｔ１〜Ｔｎ）の計測処理を繰り返す。メンテナンス制御部３４１は、省エネモードＳｔ０３２でない場合（ステップＳ６０８：ＮＯ）、画像形成装置１００の電力供給元が主電源３又は補助電源４の何れであるかを判定するために、検出部２０６が検知するＢＴＯＮ信号がＨｉレベルであるか否かを判定する（ステップＳ６０９）。メンテナンス制御部３４１は、ＢＴＯＮ信号がＨｉレベルでない場合（ステップＳ６０９：ＮＯ）、電力供給元が補助電源４であると判定してステップＳ６０８へ戻って省エネモードＳｔ０３２であるか否かの判定処理を繰り返す。メンテナンス制御部３４１は、ＢＴＯＮ信号がＨｉレベルである場合（ステップＳ６０９：ＹＥＳ）、電力供給元が主電源３であると判定して、省エネモードＳｔ０３２状態であった経過時間（Ｔ１〜Ｔｎ）の累積時間Ｔｋを計算（Ｔｋ＝Ｔ１＋Ｔ２＋・・・＋Ｔｎ）して記憶する（ステップＳ６１０）。
【０１３４】
次に、メンテナンス制御部３４１は、累積時間ＴｋがＴｋ＜（１／１０）×Ｔｋ０であるか否かを判定する（ステップＳ６１１）。メンテナンス制御部３４１は、Ｔｋ＜（１／１０）×Ｔｋ０である場合（ステップＳ６１１：ＹＥＳ）、ステップＳ７０７で記憶した印刷合計枚数Ｙと予め設定された枚数Ｚとを比較してＹ≦Ｚであるか否かを判定する（ステップＳ６１２）。なお、予め設定された枚数Ｚは任意の値であり、変更が可能である。メンテナンス制御部３４１は、Ｙ≦Ｚである場合（ステップＳ６１２：ＹＥＳ）、メンテナンスＡを実行（ステップＳ６１３）して処理を終了する。メンテナンス制御部３４１は、Ｙ≦Ｚでない場合（ステップＳ６１２：ＮＯ）、処理を終了する。
【０１３５】
メンテナンス制御部３４１は、Ｔｋ＜（１／１０）×Ｔｋ０でない場合（ステップＳ６１１：ＮＯ）、累積時間Ｔｋが（１／１０）×Ｔｋ０＜Ｔｋ＜Ｔｋ０であるか否かを判定する（ステップＳ６１４）。メンテナンス制御部３４１は、（１／１０）×Ｔｋ０＜Ｔｋ＜Ｔｋ０である場合（ステップＳ６１４：ＹＥＳ）、ステップＳ７０７で記憶した印刷合計枚数Ｙと予め設定された枚数Ｚとを比較してＹ≦Ｚであるか否かを判定する（ステップＳ６１５）。なお、予め設定された枚数Ｚは任意の値であり、変更が可能である。メンテナンス制御部３４１は、Ｙ≦Ｚである場合（ステップＳ６１５：ＹＥＳ）、メンテナンスＢを実行（ステップＳ６１６）して処理を終了する。メンテナンス制御部３４１は、Ｙ≦Ｚでない場合（ステップＳ６１５：ＮＯ）、メンテナンスＢを１／ｎ回繰り返して実行（ステップＳ６１７）して処理を終了する。なお、繰り返す回数ｎは任意に設定することができる。
【０１３６】
メンテナンス制御部３４１は、（１／１０）×Ｔｋ０＜Ｔｋ＜Ｔｋ０でない場合（ステップＳ６１４：ＮＯ）、累積時間ＴｋがＴｋ０＜Ｔｋ＜２Ｔｋ０であるか否かを判定する（ステップＳ６１８）。メンテナンス制御部３４１は、Ｔｋ０＜Ｔｋ＜２Ｔｋ０である場合（ステップＳ６１８：ＹＥＳ）、ステップＳ７０７で記憶した印刷合計枚数Ｙと予め設定された枚数Ｚとを比較してＹ≦Ｚであるか否かを判定する（ステップＳ６１９）。なお、予め設定された枚数Ｚは任意の値であり、変更が可能である。メンテナンス制御部３４１は、Ｙ≦Ｚである場合（ステップＳ６１９：ＹＥＳ）、メンテナンスＣを実行（ステップＳ６２０）して処理を終了する。メンテナンス制御部３４１は、Ｙ≦Ｚでない場合（ステップＳ６１９：ＮＯ）、メンテナンスＣを１／ｎ回繰り返して実行（ステップＳ６２１）して処理を終了する。なお、繰り返す回数ｎは任意に設定することができる。
【０１３７】
メンテナンス制御部３４１は、Ｔｋ０＜Ｔｋ＜２Ｔｋ０でない場合（ステップＳ６１８：ＮＯ）、累積時間Ｔｋが２Ｔｋ０＜Ｔｋであるか否かを判定する（ステップＳ６２２）。メンテナンス制御部３４１は、２Ｔｋ０＜Ｔｋである場合（ステップＳ６２２：ＹＥＳ）、ステップＳ７０７で記憶した印刷合計枚数Ｙと予め設定された枚数Ｚとを比較してＹ≦Ｚであるか否かを判定する（ステップＳ６２３）。なお、予め設定された枚数Ｚは任意の値であり、変更が可能である。メンテナンス制御部３４１は、Ｙ≦Ｚである場合（ステップＳ６２３：ＹＥＳ）、メンテナンスＤを実行（ステップＳ６２４）して処理を終了する。メンテナンス制御部３４１は、Ｙ≦Ｚでない場合（ステップＳ６２３：ＮＯ）、メンテナンスＤを１／ｎ回繰り返して実行（ステップＳ６２５）して処理を終了する。なお、繰り返す回数ｎは任意に設定することができる。メンテナンス制御部３４１は、２Ｔｋ０＜Ｔｋでない場合（ステップＳ６２２：ＮＯ）、処理を終了する。
【０１３８】
以上の処理を画像形成装置１００に実行させることにより、補助電源４駆動時の電力消費量を低減すると共にノズルのメンテナンス効果をより効果的に発揮させることが可能となる。
【０１３９】
このように、本実施形態では、メンテナンス部３３３は、補助電源４からの電力供給中はメンテナンス動作を中止する制御を行ない、電力供給元が主電源３（商用電源）に切り替わった時に、省エネモードＳｔ０３２状態であった時間の累積時間Ｔｋと補助電源４からの電力供給中に画像形成した枚数Ｙとに基づいてメンテナンス動作を実行する制御を行う。これにより、メンテナンス部３３３は、補助電源４駆動時にはメンテナンス動作を行わないので、メンテナンス動作に消費する電力を削減することができるため、補助電源４駆動時の電力消費量を低減することができる。
【０１４０】
また、メンテナンス部３３３は、補助電源４から主電源３に切り替わった時に、省エネモードＳｔ０３２状態であった時間の累積時間Ｔｋと補助電源４からの電力供給中に画像形成した枚数Ｙとに基づいて、効果的なメンテナンス種類を選択して実行させるので、ノズルのメンテナンス効果をより向上させることができる。
【０１４１】
すなわち、第２の実施形態と同じ省エネモードＳｔ０３２状態であった時間の累積時間Ｔｋであっても、補助電源４からの電力供給中に画像形成した枚数が多いほど記録ヘッド１３のノズルにインクが循環していることになる。そのため、メンテナンス動作を少ない回数又は短い時間としてもメンテナンス効果を発揮させることができるので、ノズルのメンテナンスを最も効果的に行うことができる。
【０１４２】
以上より、本実施形態によれば、補助電源４駆動時の電力消費量を低減することができると共に、ノズルのメンテナンス効果をより効果的に発揮させることができる。
【０１４３】
以上に説明したように、本実施形態によれば、メンテナンス部３３３は、補助電源４駆動時には省エネモードＳｔ０３２移行時間Ｔを予め設定された移行時間Ｔ０よりも短い移行時間Ｔとなる設定を自動的に行う。そのため、ユーザーが手動で移行時間Ｔを再設定する必要がなく、補助電源４駆動時には、より短い時間で電力消費量が最も少ない省エネモードへ移行させるので、補助電源４駆動時の電力消費量を低減することができるため、補助電源４の持続時間を長持ちさせることができる。
【０１４４】
また、メンテナンス部３３３は、補助電源４駆動時にはメンテナンス動作を中止する制御を行ない、主電源３（商用電源）駆動に切り替わった時に、各種のメンテナンス動作を実行する制御を行う。そのため、補助電源４駆動時にはメンテナンス動作を行わないので、メンテナンス動作に消費する電力を削減することができるため、補助電源４駆動時の電力消費量を低減することができる。
【０１４５】
また、メンテナンス部３３３は、主電源３駆動に切り替わった時に実行させるメンテナンス動作の種類及び回数を、メンテナンス条件（省エネモードＳｔ０３２状態であった時間の累積時間Ｔｋと、画像形成動作を最後に終了した時刻から電力供給元が主電源３に切り替わる時刻までの経過時間Ｔａと、補助電源からの電力供給中に画像形成した枚数Ｙとの何れか１つ以上）に基づいて、最も効果的なメンテナンス種類を選択して実行させるので、ノズルのメンテナンス効果をより向上させることができる。
【０１４６】
以上、本発明の実施形態を説明したが、上述の各実施形態は、例として提示したものであり、発明の範囲を限定することは意図していない。本発明は、上述の各実施形態そのままに限定されるものではなく、実施段階ではその要旨を逸脱しない範囲で構成要素を変形して具体化できる。また、上述の各実施形態に開示されている複数の構成要素の適宜な組み合わせにより、種々の発明を形成できる。例えば、実施形態に示される全構成要素から幾つかの構成要素を削除してもよい。また、以上の各実施形態および変形例は任意に組み合わせることも可能である。
【０１４７】
なお、上述の各実施形態のモード制御部３３２及びメンテナンス部３３３が実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１４８】
さらに、上述の各実施形態のモード制御部３３２及びメンテナンス部３３３が実行される制御プログラムを、インターネット等のネットワークに接続されたコンピュータ上に格納し、ネットワーク経由でダウンロードさせることにより提供するように構成してもよい。また、上述の各実施形態のモード制御部３３２及びメンテナンス部３３３が実行される制御プログラムをインターネット等のネットワーク経由で提供または配布するように構成してもよい。
【符号の説明】
【０１４９】
１  給紙トレイ（給紙カセット）
２  排紙トレイ
３  主電源
４  補助電源（バッテリー）
５  補助電源装填部
６  操作表示部
７  ガイドロッド
８  ガイドレール
９  キャリッジ
１０  主走査モータ
１１  タイミングベルト
１２Ａ  駆動プーリ
１２Ｂ  従動プーリ
１３、１３ｋ、１３ｃ、１３ｍ、１３ｙ  記録ヘッド
１４  サブタンク
１５  インク供給チューブ
１６  用紙積載部
１７  用紙
１８  給紙ローラ
１９  分離パッド
２０  ガイド
２１  搬送ベルト
２２  カウンタローラ
２３  搬送ガイド
２４  押さえ部材
２５  押さえコロ
２６  帯電ローラ
２７  搬送ローラ
２８  テンションローラ
２９  ガイド部材
３１  副走査モータ
３２  タイミングベルト
３３  タイミングローラ
３４  スリット円板
３５  センサ
３６  ロータリエンコーダ
５１  分離爪
５２  排紙ローラ
５３  排紙コロ
５４  両面給紙ユニット
５５  維持回復機構
５６  キャップ
５７  ワイパーブレード
５８  空吐出受け
１００  画像形成装置
２００  電源部
２０１  充放電コントローラ
２０２  電源制御部
２０３、２０４  ＤＣ／ＤＣコンバータ
２０５  プラグ
２０６  検出部
３００  メインコントローラ
３０１  タイマー
３０２  記憶部
３０３  ホストＩ／Ｆ
３０４  制御部
３１０  画像形成部
３３１  受付部
３３２  モード制御部
３３３  メンテナンス部
３３４  エンジン制御部
３４１  メンテナンス制御部
３４２  モード監視部
３４３  動作監視部
４００  外部装置
【先行技術文献】
【特許文献】
【０１５０】
【特許文献１】特開２００９−２２２８２４号公報
【特許文献２】特開２０１２−１４０００３号公報
【図１】
2014226816.tif 000003
【図２】
2014226816.tif 000004
【図３】
2014226816.tif 000005
【図４】
2014226816.tif 000006
【図５】
2014226816.tif 000007
【図６】
2014226816.tif 000008
【図７−１】
2014226816.tif 000009
【図７−２】
2014226816.tif 000010
【図７−３】
2014226816.tif 000011
【図７−４】
2014226816.tif 000012
【図８】
2014226816.tif 000013
【図９】
2014226816.tif 000014
【図１０】
2014226816.tif 000015
【図１１】
2014226816.tif 000016
【図１２】
2014226816.tif 000017
【図１３】
2014226816.tif 000018